(57)【要約】      （修正有）【課題】空気予熱器の蓄熱体に対する付着物の付着の度合いを効率的に判定する付着物判定装置を提供する。【解決手段】空気予熱器の蓄熱体に対する付着物の付着の度合いを判定する付着物判定装置１０であって、前記蓄熱体の一方の面に配置される投光部１１と、前記投光部からの光を受光できるように、前記蓄熱体の他方の面に配置される受光部１２と、前記付着物を除去するための洗浄前に前記受光部１２で受光される光の第１強度と、前記付着物を除去するための洗浄後に前記受光部１２で受光される光の第２強度と、に基づいて、前記蓄熱体に対する付着の度合いを判定する判定部１３と、を備える。【選択図】図３
2018004351.tif 000002
【特許請求の範囲】
【請求項１】
空気予熱器の蓄熱体に対する付着物の付着の度合いを判定する付着物判定装置であって、
前記蓄熱体の一方の面に配置される投光部と、
前記投光部からの光を受光できるように、前記蓄熱体の他方の面に配置される受光部と、
前記付着物を除去するための洗浄前に前記受光部で受光される光の第１強度と、前記付着物を除去するための洗浄後に前記受光部で受光される光の第２強度と、に基づいて、前記蓄熱体に対する付着の度合いを判定する判定部と、
を備えることを特徴とする付着物判定装置。
【請求項２】
前記判定部は、前記第１強度に対する前記第２強度の比率を算出し、前記比率と所定の閾値とを比較することによって前記付着の度合いを判定する
ことを特徴とする請求項１に記載の付着物判定装置。
【請求項３】
前記投光部は、前記一方の面の複数の位置に複数設けられ、
前記受光部は、前記他方の面の複数の位置に複数設けられる
ことを特徴とする請求項１に記載の付着物判定装置。
【請求項４】
前記判定部は、複数の前記第１強度に対する複数の前記第２強度の夫々の比率の平均値を算出し、前記平均値と所定の閾値とを比較することによって前記付着の度合いを判定する
ことを特徴とする請求３に記載の付着物判定装置。
【請求項５】
前記投光部は、ＬＥＤ照明器具を含む
ことを特徴とする請求項１乃至４の何れか一項に記載の付着物判定装置。
【請求項６】
前記投光部からの光を受光する前記受光部は、輝度計を含む
ことを特徴とする請求項１乃至５の何れか一項に記載の付着物判定装置。
【請求項７】
空気予熱器の蓄熱体に対する付着物の付着の度合いを判定する付着物判定方法であって、
前記付着物を除去するための洗浄前に、前記蓄熱体の一方の面に配置された投光部からの光を前記受光部で受光した際の光の第１強度と、前記付着物を除去するための洗浄後に、前記投光部からの光を前記受光部で受光した際の光の第２強度と、に基づいて、前記蓄熱体に対する付着の度合いを判定する、
ことを特徴とする付着物判定方法。
【発明の詳細な説明】
【技術分野】
【０００１】
本発明は、付着物判定装置、付着物判定方法に関する。
【背景技術】
【０００２】
例えば、空気予熱器の付着物洗浄方法及び洗浄装置が知られている。（例えば特許文献１）。
【先行技術文献】
【特許文献】
【０００３】
【特許文献１】特開２００９−１６８３５７号
【発明の概要】
【発明が解決しようとする課題】
【０００４】
特許文献１では、空気予熱器の付着物の性状を解析し、それに応じた適切な洗浄方法を明確にして、効率的な空気予熱器の付着物洗浄方法及び洗浄装置が開示されている。
【０００５】
しかし、空気予熱器を洗浄して付着物を除去する方法及び装置を用いて、空気予熱器を洗浄して蓄熱体であるエレメントから付着物を除去したつもりでも、エレメントの構造（波形状）を考慮すると、特許文献１に係る発明では、全ての付着物を除去することは困難である。しかも、付着物の除去状況の最終的確認は、人間による目視で行われる。そして、目視という不確実な確認方法であるため、付着物の見逃しによりエレメントを通過する燃焼ガスの流通が阻害され、空気予熱器の熱交換効率の低下を引き起こす虞があった。
【課題を解決するための手段】
【０００６】
前述した課題を解決する主たる本発明は、空気予熱器の蓄熱体に対する付着物の付着の度合いを判定する付着物判定装置であって、前記蓄熱体の一方の面に配置される投光部と、前記投光部からの光を受光できるように、前記蓄熱体の他方の面に配置される受光部と、前記付着物を除去するための洗浄前に前記受光部で受光される光の第１強度と、前記付着物を除去するための洗浄後に前記受光部で受光される光の第２強度と、に基づいて、前記蓄熱体に対する付着の度合いを判定する判定部と、を備えることを特徴とする。
【０００７】
本発明の他の特徴については、添付図面及び本明細書の記載により明らかとなる。
【発明の効果】
【０００８】
本発明によれば、空気予熱器の蓄熱体であるエレメントを洗浄した後に、エレメントの間隙を通過する光の輝度を計測することで付着物の除去状況を判定できるため、作業効率の向上が図れる。
【図面の簡単な説明】
【０００９】
【図１】本実施形態に係る一部に断面が示される空気予熱器のエレメントの一例を示す斜視図である。
【図２】本実施形態に係るエレメントの拡大斜視図である。
【図３】本実施形態に係る付着物判定装置の構成の一例を示す図である。
【図４】本実施形態に係る記憶部に格納されるデータベースの一例を示す表である。
【図５】本実施形態に係る判定手順を示すフロー図である。
【発明を実施するための形態】
【００１０】
本明細書および添付図面の記載により、少なくとも以下の事項が明らかとなる。
【００１１】
尚、以下説明では、図１〜図３において、紙面上での上側を空気予熱器又はエレメントの上面として説明し、紙面上での下側を空気予熱器又はエレメントの下面として説明し、紙面上での左側を空気予熱器の左部として説明し、紙面上での右側を空気予熱器の右部として説明する。
【００１２】
尚、図１〜図３において、同一の装置・部材については同一の数字を付して説明する。
【００１３】
＝＝＝空気予熱器２０の構成＝＝＝
図１、図２を参照しつつ、空気予熱器２０のエレメント２１の構成について説明する。図１は、本実施形態に係る一部に断面が示される空気予熱器２０のエレメント２１の一例を示す斜視図である。図２は、本実施形態に係るエレメント２１の拡大斜視図である。
【００１４】
＜＜発電所＞＞
例えば、火力発電所（不図示）には、ボイラ（不図示）が配置されている。ボイラは、外部から供給される燃料（例えば微粉炭の状態の石炭）と燃焼用空気を混合して燃焼ガスを生成し、燃焼ガスの熱（燃焼熱）を用いて水を水蒸気に換える熱交換装置である。ボイラは、発生させた高温・高圧の水蒸気をタービン（不図示）に送り込む。タービンは、ボイラ内で発生した高温・高圧の蒸気が送り込まれることで、羽車を回転させて、羽車が接続されるタービンの軸が、それと同軸に接続される発電機（不図示）の回転軸を回転させる装置である。そして、ボイラは、例えば、過熱器（不図示）、再熱器（不図示）、節炭器（不図示）、空気予熱器２０により、燃料効率を向上させて駆動している。過熱器は、ボイラ内に配置される蒸発管で発生する飽和蒸気を加熱して過熱蒸気を発生させる装置である。過熱蒸気を発生させることにより、熱効率の向上が図れ、タービン翼の損傷を防ぐことができる。再熱器は、タービンから排出される飽和蒸気を再度加熱して過熱蒸気を発生させる装置である。発生された過熱蒸気は、タービンの低圧部に送られる。節炭器は、電熱部の蒸発器で燃焼ガスと給水とを熱交換して、給水を予熱する装置である。つまり、節炭器は、煙道から煙突に排出される燃焼ガスの余熱で給水を加熱し、ボイラ効率を高めている。
【００１５】
＜＜空気予熱器２０＞＞
空気予熱器２０は、煙道から煙突に排出される節炭器出口の燃焼ガスの余熱で燃焼用空気を加熱し、ボイラ効率を高める装置である。具体的には、図１に示すように、燃焼ガスは、例えば、空気予熱器２０の上面の右部から圧送され、下面の右部から抜ける。一方、燃焼用空気は、燃焼ガスとは反対側における、空気予熱器２０の下面の左部から圧送され、上面の左部から抜ける。これからわかるように、空気予熱器２０の右部のエレメント２１が高温の燃焼ガスで熱せられ、その熱が左部に伝達されて燃焼用空気が熱を吸収する。尚、空気予熱器２０は、回動軸を中心に回動する構造を有するため、燃焼ガスから燃焼用空気への熱伝達を効率良く行うことができる。
【００１６】
図２に示すように、空気予熱器２０は、燃焼ガスの熱を回収するために、蓄熱体（以下、「エレメント２１」と称する。）を格子状に配置して構成されている。つまり、空気予熱器２０では、燃焼ガスがエレメント２１の格子の間隙を流通する間に、燃焼ガスの熱がエレメント２１に伝達され、その熱がエレメント２１を介して燃焼用空気に伝達する所謂熱交換が行われる。又、燃焼ガスには、灰、錆など（以下、「灰等」と称する。）が含まれている。従って、燃焼ガスが空気予熱器２０を通過する際に、燃焼ガスに含まれる灰等がエレメント２１に付着する（以下、「付着物」と称する。）。付着物のエレメント２１への付着を放置しておくと、エレメント２１の間隙には、付着物による目詰まりが生じるため、燃焼ガスの流通を阻害する。これにより空気予熱器２０の熱交換の効率が低下するため、施設管理者は、定期的にエレメント２１を洗浄しなければならない。
【００１７】
＜＜エレメント２１＞＞
図２に示すように、エレメント２１は、例えば、上面から下面に向かって見たときに波付形状を呈し、回転軸から放射状に延びる板形状を呈している。つまり、エレメント２１は、回転軸を中心にして回転方向に一定の間隙を有して積層されるように構成されている。燃焼ガスに含まれる灰等は、エレメント２１の間隙を埋めるように付着する。エレメント２１は、例えば、上面から順に、高温層エレメント２１Ａ、中温層エレメント２１Ｂ、低温層エレメント２１Ｃの３層が回動軸の軸方向に沿って積層して構成されている。又、高温層、中温層、低温層の各エレメント（２１Ａ，２１Ｂ，２１Ｃ）は、例えば、周方向においてセクター２１Ｄ単位で区分されている。さらに、各セクター２１Ｄは、例えば、回動軸の径方向に向かってバスケット毎（Ａバスケット２１Ｅ、Ｂバスケット２１Ｆ、Ｃバスケット２１Ｇ）に区分されて構成されている。
【００１８】
図２に示すように、エレメント２１の洗浄は、例えば、上面から下面に向かって、エレメント２１の間隙に高圧水（３０ＭＰａ）を噴射して行われる。つまり、エレメント２１の間隙に付着している付着物は高圧水で除去される。
【００１９】
しかし、上述したエレメント２１の構造（波付形状）では、上面から下面に向かって高圧水を噴射しても全ての付着物を除去できずに一部の付着物についてはそのまま残り、さらに、ハイバースコープ等でエレメント２１を目視確認しても付着物を発見できず、付着物が堆積したまま放置される虞があった。
【００２０】
そこで、後述する付着物判定装置１０では、エレメント２１を洗浄した後に、エレメント２１への付着物の付着の度合いを判定する。
【００２１】
＝＝＝付着物判定装置１０の構成＝＝＝
以下、図３、図４を参照しつつ、本実施形態に係る付着物判定装置１０について説明する。
【００２２】
図３は、本実施形態に係る付着物判定装置１０の構成の一例を示す図である。図４は、本実施形態に係る記憶部１４に格納されるデータベース１４Ａの一例を示す表である。
【００２３】
付着物判定装置１０は、例えば、空気予熱器２０のエレメント２１の下面から光を照射し、光がエレメント２１の間隙を通過してエレメント２１の上面から出射した光の輝度に基づいて、エレメント２１への付着物の付着の度合いを判定する装置である。つまり、付着物判定装置１０は、これまでハイパースコープ等による目視で行っていたエレメント２１の付着物の確認を、エレメント２１の間隙を通過する光の輝度に基づいて定量的に行える装置である。尚、付着状態を判定するために輝度を用いた理由は、エレメント２１を洗浄した前後において、エレメント２１の間隙を通過する光の輝度の増加率（比率）が一定値以上を示した場合、燃焼ガスが流通している状態において、エレメント２１の上面と下面との差圧が正常値を示すことが実績として理解されているためである。
【００２４】
図３に示すように、付着物判定装置１０は、例えば、投光部１１、受光部１２、判定部１３、記憶部１４を含んで構成されている。
【００２５】
＜＜投光部１１＞＞
投光部１１は、例えば、エレメント２１の下面に第１光を照射する装置である。投光部１１は、例えば、ＬＥＤ照明器具１１Ａ、照明制御器１１Ｂを含んで構成されている。照明制御器１１Ｂは、例えば、後述する判定部１３と電気的に接続されており、判定部１３から送信される点灯制御信号（詳細は後述する）を受信すると、点灯制御信号に応じてＬＥＤ照明器具１１ＡがＯＮ又はＯＦＦされるように構成されている。尚、上述したように、投光部１１では、照明制御器１１ＢによるＬＥＤ照明器具１１Ａに対するＯＮ又はＯＦＦの制御を想定しているが、照明制御器１１Ｂを用いずに、作業員によるＬＥＤ照明器具１１Ａに対するＯＮ又はＯＦＦの操作も可能であることとする。又、照明制御器１１Ｂは、例えば、ＰＬＣ（プログラマブル・ロジック・コントローラ）で構成されている。
【００２６】
＜＜受光部１２＞＞
受光部１２は、例えば、エレメント２１の下面の投光部１１から照射された第１光がエレメント２１の間隙を通過した後に、エレメント２１の上面から出射する第２光を受光する装置である。受光部１２は、例えば、輝度計１２Ａ、輝度制御器１２Ｂを含んで構成されている。
【００２７】
輝度計１２Ａは、第２光の輝度を測定して、測定結果の輝度値をデジタル信号又はアナログ信号で、輝度制御器１２Ｂ又は判定部１３に送信する。上述したように、輝度計１２Ａは、輝度制御器１２Ｂを介して輝度値を示す情報を判定部１３に送信してもよいし、輝度制御器１２Ｂを介さずに輝度値を示す情報を判定部１３に送信してもよい。
【００２８】
輝度制御器１２Ｂは、例えば、後述する判定部１３と電気的に接続されており、判定部１３から送信される計測制御信号（詳細は後述する）を輝度制御器１２Ｂが受信すると、輝度制御器１２Ｂが輝度計１２Ａに対して、輝度の計測を開始又は終了させるように構成されている。尚、輝度計１２Ａへの制御手段は、輝度制御器１２Ｂによる制御を想定しているが、輝度制御器１２Ｂを用いずに、作業員が輝度計１２Ａに対して計測を開始又は終了する操作も可能とする。又、輝度制御器１２Ｂは、例えば、ＰＬＣ（プログラマブル・ロジック・コントローラ）で構成されている。
【００２９】
＜＜判定部１３＞＞
判定部１３は、投光部１１及び受光部１２を起動又は停止させるための制御信号を出力する機能を有し、さらに、受光部１２の測定結果に基づいてエレメント２１の付着物の付着の度合いを判定する機能を有する装置である。判定部１３は、例えば、投光部１１及び受光部１２と電気的に接続されている。判定部１３は、例えば、ＲＯＭ（不図示）、ＲＡＭ（不図示）、ＣＰＵ（不図示）を含んで構成されている。判定部１３は、例えば、投光部１１に対して点灯制御信号を出力し、受光部１２に対して計測制御信号を出力する。点灯制御信号とは、投光部１１のＬＥＤ照明器具１１Ａを点灯させる制御信号と、投光部１１のＬＥＤ照明器具１１Ａを消灯させる制御信号とを含んだ信号である。計測制御信号とは、受光部１２の輝度計１２Ａを起動させる制御信号と、受光部１２の輝度計１２Ａを停止させる制御信号とを含んだ信号である。
【００３０】
エレメント２１を洗浄する前において、判定部１３は、投光部１１から照射される第１光がエレメント２１の間隙を通過した後に、受光部１２によって測定された第２光の輝度（以下、「洗浄前輝度」と称する。）を示す情報を、受光部１２から受信する。尚、判定部１３は、受光部１２から受信する情報として、エレメント２１の夫々のセクター２１Ｄの各バスケット（Ａバスケット２１Ｅ、Ｂバスケット２１Ｆ、Ｃバスケット２１Ｇ）で測定された洗浄前輝度（以下、Ａバスケット２１Ｅの輝度を洗浄前輝度Ａと称し、Ｂバスケット２１Ｆの輝度を洗浄前輝度Ｂと称し、Ｃバスケット２１Ｇの輝度を洗浄前輝度Ｃと称する。）を示す情報の夫々を取得する。そして、判定部１３は、例えば、各バスケットにおいて、受光部１２が複数箇所で洗浄前輝度を測定し、受光部１２から送信される複数の洗浄前輝度のうち最大値を示す洗浄前輝度を各バスケットの洗浄前輝度として判定する。
【００３１】
エレメント２１を洗浄した後において、判定部１３は、投光部１１から照射される第１光がエレメント２１の間隙を通過した後に、受光部１２によって測定された第２光の輝度（以下、「洗浄後輝度」と称する。）を示す情報を、受光部１２から受信する。尚、判定部１３は、受光部１２から受信する情報として、エレメント２１の夫々のセクター２１Ｄの各バスケット（Ａバスケット２１Ｅ、Ｂバスケット２１Ｆ、Ｃバスケット２１Ｇ）で測定された洗浄後輝度（以下、Ａバスケット２１Ｅの輝度を洗浄後輝度Ａと称し、Ｂバスケット２１Ｆの輝度を洗浄後輝度Ｂと称し、Ｃバスケット２１Ｇの輝度を洗浄後輝度Ｃと称する。）を示す情報の夫々を取得する。そして、判定部１３は、例えば、各バスケットにおいて、受光部１２が複数箇所で洗浄後輝度を測定し、受光部１２から送信される複数の洗浄後輝度のうち最大値を示す洗浄後輝度を各バスケットの洗浄後輝度として判定する。
【００３２】
判定部１３は、洗浄前輝度と洗浄後輝度とに基づいて、エレメント２１に対する付着物の付着の度合いを判定する。具体的には、判定部１３は、例えば、Ａバスケット２１Ｅの領域において、エレメント２１の洗浄前に、受光部１２が測定した洗浄前輝度Ａを受信し、エレメント２１の洗浄後に、受光部１２が測定した洗浄後輝度Ａを受信し、洗浄前輝度Ａに対する洗浄後輝度Ａの比率を算出する。比率は、洗浄後輝度Ａを洗浄前輝度Ａで除した値を百分率で表した値である。そして、判定部１３は、Ｂバスケット２１Ｆ及びＣバスケット２１Ｇにおいても、同様に比率を算出する。
【００３３】
判定部１３は、比率が所定の閾値以上であるとき、付着物の除去が適正になされているという判定を行う。一方、比率が所定の閾値未満であるとき、付着物の除去が適正になされていないという判定を行う。つまり、判定部１３は、各バスケットにおいて、付着物の除去が適正になされているか否かの判定を行う。又、判定部１３は、上述したように、各バスケットで行われる判定と併せて、各バスケットで算出された比率の平均値（以下、「平均比率」と称する。）を算出し、平均比率と所定の閾値とを比較して、付着物の除去が適正になれさているか否かの判定を行う。つまり、判定部１３は、各バスケットが含まれるセクター２１Ｄにおいて、付着物の除去が適正になされているか否かの判定を行う。
【００３４】
具体的には、判定部１３は、例えば、閾値を４００％として、Ａバスケットの比率が４５０％と算出された場合、Ａバスケットにおいては付着物の除去が適正になされていると判定し、比率が２５０％と算出された場合、Ａバスケットにおいては付着物の除去が適正になされていないと判定する。つまり、判定部１３は、Ａバスケットの付着物の除去が適正になされているか否かを判定できる。そして、判定部１３は、同様に、Ｂバスケット及びＣバスケットについても判定する。さらに、判定部１３は、例えば、閾値を４００％として、各バスケットが含まれるセクター２１Ｄの平均比率が４４０％と算出された場合、当該セクター２１Ｄの付着物の除去が適正になされていると判定し、平均比率が２５０％と算出された場合、当該セクター２１Ｄの付着物の除去が適正になされていないと判定する。つまり、判定部１３は、当該セクター２１Ｄの付着物の除去が適正に行われているか否かを判定できる。
【００３５】
尚、閾値については、実験の結果に基づいて、４００％に設定することが好ましいが、その値を限定するものではない。又、閾値は、作業員によって適宜設定されるものとする。又、上述したように、Ａバスケット２１Ｅの領域についての判定を、同様にＢバスケット２１Ｆ、Ｃバスケット２１Ｇについても行うこととする。これにより、Ａバスケット２１Ｅ、Ｂバスケット２１Ｆ、Ｃバスケット２１Ｇ及びセクター２１Ｄに対して付着物の付着の度合いを判定することができる。
【００３６】
＜＜記憶部１４＞＞
図４を参照しつつ、本実施形態に係る記憶部１４に格納されるデータベース１４Ａについて説明する。
【００３７】
記憶部１４は、判定部１３から入力される情報を所定の形式で記憶する装置である。記憶部１４は、例えば、判定部１３と電気的に接続されている。記憶部１４は、例えば、ハードディスクを含んで構成されている。記憶部１４は、例えば、判定部１３から入力される洗浄前輝度、洗浄後輝度、比率、第１判定、平均比率及び第２判定をデータベース１４Ａの形式で記憶する機能を有する。
【００３８】
図４に示すように、データベース１４Ａは、例えば、各セクター２１Ｄ、各バスケット、洗浄前輝度、洗浄後輝度、比率、第１判定、平均比率及び第２判定を関係付けたデータベース１４Ａである。セクターの列には、洗浄対象の夫々のセクター２１Ｄの番号を示す情報が入力される。バスケットの列には、セクター２１Ｄに含まれる夫々のバスケットの番号を示す情報が入力される。洗浄前輝度の列には、エレメント２１の洗浄前において、判定部１３から入力される各バスケットの洗浄前輝度を示す情報が入力される。洗浄後輝度の列には、エレメント２１の洗浄後において、判定部１３から入力される各バスケットの洗浄後輝度を示す情報が入力される。比率の列には、判定部１３で算出された比率を示す情報が入力される。第１判定の列には、判定部１３で判定された結果を示す情報が入力され、例えば適正になされているという判定の場合は「○」が入力され、適正になされていないという判定の場合は「×」が入力される。平均比率の列には、判定部１３で算出された平均比率を示す情報が入力される。第２判定の列には、判定部１３で判定された結果を示す情報が入力され、例えば適正になされているという判定の場合は「○」が入力され、適正になされていないという判定の場合は「×」が入力される。これにより、操作員は判定結果を確認できる。
【００３９】
＝＝＝判定手順＝＝＝
以下、図５を参照しつつ、本実施形態に係る付着物判定装置１０の判定手順について説明する。図５は、本実施形態に係る判定手順を示すフロー図である。
【００４０】
電力会社等は、空気予熱器２０の定期点検等において、空気予熱器２０のエレメント２１を洗浄して空気予熱器２０の健全性の確保と運転効率の向上を図る。空気予熱器２０のエレメント２１の洗浄には、高圧水を用いて付着物を除去する方法がとられているが、付着物が除去されたか否かの判定は目視で行っていた。そこで、電力会社等は、付着物判定装置１０による以下の判定手順に基づいてエレメント２１への付着物の残存度合いを判定することとする。
【００４１】
先ず、付着物判定装置１０の判定部１３を起動する。判定部１３は、エレメント２１の一方の面（例えば下面）に配置されている投光部１１に第１光を照射させるために、投光部１１に点灯制御信号を出力する（Ｓ１００）。投光部１１は、点灯制御信号を受信すると点灯を開始し、エレメント２１の一方の面に第１光を照射する（Ｓ１０１）。次に、判定部１３は、エレメント２１の他方の面（例えば上面）に配置されている受光部１２が第２光を測定できるように、受光部１２に計測制御信号を出力する（Ｓ１０２）。受光部１２は、計測制御信号を受信すると第２光の輝度の測定を開始する（Ｓ１０３）。以下の手順を繰り返して、セクター２１Ｄの各バスケット（Ａバスケット〜Ｃバスケット）について判定する（Ｓ１０４）。
【００４２】
エレメント２１の洗浄前においては（Ｓ１０５：洗浄前）、判定部１３は、受光部１２から洗浄前輝度を示す情報を受信し（Ｓ１０６，Ｓ１０７）、洗浄前輝度を示す情報を記憶装置に送信する（Ｓ１０８）。これにより、データベース１４Ａは、洗浄前輝度を示す情報が入力された状態となる。
【００４３】
エレメント２１の洗浄後においては（Ｓ１０５：洗浄後）、判定部１３は、受光部１２から洗浄後輝度を示す情報を受信し（Ｓ１０９，Ｓ１１０）、洗浄後輝度を示す情報を記憶装置に送信する（Ｓ１１１，Ｓ１１２）。これにより、データベース１４Ａは、洗浄前輝度を示す情報に対応する洗浄後輝度を示す情報が入力された状態となる。
【００４４】
次に、判定部１３は、データベース１４Ａから洗浄前輝度と洗浄後輝度とを読み込んで（Ｓ１１３）、洗浄前輝度に対する洗浄後輝度の比率を算出する（Ｓ１１４）。比率は、洗浄後輝度から洗浄前輝度を除して算出された値を百分率で表して求められる。判定部１３は、比率を示す情報を記憶部１４に送信する（Ｓ１１４，Ｓ１１５）。これにより、データベース１４Ａは、洗浄前輝度を示す情報と、洗浄後輝度を示す情報と、比率を示す情報とが関係付けられて入力された状態となる。
【００４５】
判定部１３は、比率と、閾値とを比較して、比率が閾値以上である場合は、適正になされているという判定「○」をデータベース１４Ａに入力し、比率が閾値未満である場合は、適正になされていないという判定「×」をデータベース１４Ａに入力する（Ｓ１１６，Ｓ１１７）。上記の手順を繰り返す（Ｓ１１８）。
【００４６】
判定部１３は、データベース１４Ａから比率を読み込んで（Ｓ１１９）、セクター２１Ｄの平均比率を算出する（Ｓ１２０）。平均比率は、セクター２１Ｄの各バスケットの夫々の比率を平均して求められる。
【００４７】
判定部１３は、平均比率と、閾値とを比較して、平均比率が閾値以上である場合は、適正になされているという判定「○」をデータベース１４Ａに入力し、平均比率が閾値未満である場合は、適正になされていないという判定「×」をデータベース１４Ａに入力する（Ｓ１２１，Ｓ１２２）。これにより、データベース１４Ａは、洗浄前輝度を示す情報と、洗浄後輝度を示す情報と、比率を示す情報と、平均比率を示す情報と、判定の結果を示す情報とが関係付けられて入力された状態となる。
【００４８】
以上で、判定部１３は、判定手順を終了する。上述した判定手順を夫々のセクター２１Ｄに対して行うことで、エレメント２１の付着物の付着の度合いが判定できる。
【００４９】
＝＝＝他の実施形態＝＝＝
＜＜投光部１１＞＞
上記において、投光部１１は、エレメント２１の下面に第１光を照射するように配置されているとして説明したが、これに限定されない。例えば、投光部１１は、上面から第１光を照射するように配置されてもよく、受光部１２が下面に配置されて第２光を受光できればよい。
【００５０】
上記において、投光部１１は、ＬＥＤ照明器具１１Ａを含んで構成されているとして説明したが、これに限定されない。例えば、投光部１１は、ＨＩＤランプ、ハロゲンランプ又はナトリウムランプを含んで構成されていても良く、ランプの種類を限定するものではない。投光部１１は、エレメント２１の上面と下面との間を通過できる程度の輝度の光を照射できるランプであればよい。
【００５１】
上記において、投光部１１は、照明制御器１１Ｂを含んで構成されているとして説明したが、これに限定されない。例えば、投光部１１は、照明制御器１１Ｂを含まなくてもよい。ＬＥＤ照明器具１１ＡのＯＮ又はＯＦＦの操作については、作業員が手動で行えばよい。
【００５２】
上記において、投光部１１は、１台で構成されているように記載したが、これに限定されない。例えば、投光部１１は、複数台で構成されていてもよい。この場合では、１台の投光部１１には、１台の受光部１２が配置されることとなる。複数台で構成される場合においては、複数の比率を得ることができるため、より精度の高い判定結果が得られる。
【００５３】
＜＜受光部１２＞＞
上記において、受光部１２は、輝度計１２Ａを含んで構成されているとして説明したが、これに限定されない。例えば、受光部１２は、輝度計１２Ａに替えて照度計を含んで構成されてもよい。受光部１２には、投光部１１から照射される光の強度を測定できればよいためである。
【００５４】
上記において、受光部１２は、輝度制御器１２Ｂを含んで構成されているとして説明したが、これに限定されない。例えば、受光部１２は、輝度制御器１２Ｂを含まなくてもよい。輝度計１２Ａの操作については、作業員が手動で行えばよい。
【００５５】
上記において、受光部１２は、１台で構成されているように記載したが、これに限定されない。例えば、受光部１２は、複数台で構成されていてもよい。この場合では、１台の受光部１２には、１台の投光部１１が配置されることとなる。複数台で構成される場合においては、複数の比率を得ることができるため、より精度の高い判定結果が得られる。
【００５６】
＜＜判定部１３＞＞
上記において、判定部１３は、比率に基づいて付着物の除去が適正になされているか否かを判定するように記載したが、これに限定されない。例えば、判定部１３は、エレメント２１の洗浄後における輝度又は照度の値に基づいて付着物の除去が適正になされているか否かを判定してもよい。
【００５７】
上記において、判定部１３は、１つの受光部１２からの輝度に基づいて判定するように記載したが、これに限定されない。例えば、判定部１３は、投光部１１及び受光部１２の夫々が複数台で構成されているとき、複数の受光部１２から受信する洗浄前輝度及び洗浄後輝度に基づいて複数の比率を算出し、複数の比率を平均して求められる比率を各バスケットにおける比率として算出する。そして、判定部１３は、各バスケットの比率が所定の閾値以上である場合では、各バスケットの付着物の除去が適正になされているという判定をし、各バスケットの比率が所定の閾値未満である場合では、各バスケットの付着物の除去が適正になされていないという判定をする。さらに、各バスケットにおいて算出された比率の平均値である平均比率を算出し、平均比率と所定の閾値とを比較して、各バスケットが含まれるセクター２１Ｄの付着物の除去が適正になれさているか否かの判定を行う。これにより、判定の根拠とする比率の精度が向上するため、より精度の高い判定結果が得られる。
【００５８】
＜＜記憶部１４＞＞
上記において、記憶部１４は、判定部１３と電気的に接続されているとして説明したが、これに限定されない。例えば、記憶部１４は、判定部１３と一体的に設けられていてもよく、つまりは、判定部１３にデータベース１４Ａが格納されていてもよい。
【００５９】
＝＝＝まとめ＝＝＝
以上説明したように、本実施形態に係る付着物判定装置１０は、空気予熱器２０のエレメント２１に対する付着物の付着の度合いを判定する付着物判定装置１０であって、エレメント２１の下面に配置される投光部１１と、投光部１１からの光を受光できるように、エレメント２１の上面に配置される受光部１２と、付着物を除去するための洗浄前に受光部１２で受光される光の洗浄前輝度（又は照度）と、付着物を除去するための洗浄後に受光部１２で受光される光の洗浄後輝度（又は照度）と、に基づいて、エレメント２１に対する付着の度合いを判定する判定部１３と、を備えることを特徴とする。本実施形態によれば、エレメント２１の付着物を目視によらず、付着状態を定量的に判定することができるため、作業効率の向上が図れる。
【００６０】
又、本実施形態に係る付着物判定装置１０において、判定部１３は、洗浄前輝度（又は照度）に対する洗浄後輝度（又は照度）の比率又は平均比率を算出し、比率又は平均比率と所定の閾値とを比較することによって付着物の付着の度合いを判定することを特徴とする。本実施形態によれば、エレメント２１の洗浄前後における光の輝度（又は照度）の比率に基づいて、エレメント２１の付着物の付着状態を定量的に判定することができるため、作業効率の向上が図れる。
【００６１】
又、本実施形態に係る付着物判定装置１０において、投光部１１は、下面の複数の位置に複数設けられ、受光部１２は、上面の複数の位置に複数設けられることを特徴とする。本実施形態によれば、一組での比率よりも、より正確に判定することができるため、作業の確実性の向上が図れる。
【００６２】
又、本実施形態に係る付着物判定装置１０において、判定部１３は、複数の洗浄前輝度（又は照度）に対する複数の洗浄後輝度（又は照度）の夫々の比率の平均値を算出し、比率の平均値と所定の閾値とを比較することによって前記付着の度合いを判定することを特徴とする。本実施形態によれば、エレメント２１の洗浄前後における光の輝度の複数の比率の平均値に基づいて、エレメント２１の付着物の付着状態を定量的に判定するため、作業の確実性の向上が図れる。
【００６３】
又、本実施形態に係る付着物判定装置１０において、投光部１１は、ＬＥＤ照明器具１１Ａを含むことを特徴とする。本実施形態によれば、ＬＥＤ照明器具１１Ａ以外の照明器具を使用するよりもコストの縮減が図れる。
【００６４】
又、本実施形態に係る付着物判定装置１０において、投光部１１からの光を受光する受光部１２は、輝度計１２Ａを含むことを特徴とする。本実施形態によれば、光の強度を輝度として測定することができ、比率を正確に算出することができる。
【００６５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００６６】
１０  付着物判定装置
１１  投光部
１１Ａ  ＬＥＤ照明器具
１２  受光部
１２Ａ  輝度計
１３  判定部
２０  空気予熱器
２１  エレメント
【図１】
2018004351.tif 000003
【図２】
2018004351.tif 000004
【図３】
2018004351.tif 000005
【図４】
2018004351.tif 000006
【図５】
2018004351.tif 000007